(57)【特許請求の範囲】
【請求項１】
通信装置との間で通信を行う通信端末装置において、
表示部と、
記憶部と、
複数の操作キーと、
所定の機能を実行するための前記複数の操作キーの押下順を示す操作手順情報、及び前記所定の機能を実行するためのプログラムである操作実行情報を前記通信装置から取得する制御部と、を備え、
前記制御部は、取得した前記操作手順情報が前記表示部に表示された状態で、前記操作実行情報を前記記憶部に記憶させるか否かを選択可能に制御し、前記操作実行情報を記憶させると選択された場合には、当該操作実行情報を前記記憶部に記憶させることを特徴とする通信端末装置。
【請求項２】
前記制御部は、前記操作実行情報が前記記憶部に記憶されている場合に、当該操作実行情報を前記複数の操作キーのうちのいずれかの操作キーに割り当てて設定する機能設定手段を備えたことを特徴とする請求項１に記載の通信端末装置。
【請求項３】
前記制御部は、前記機能設定手段により前記操作実行情報が割り当てて設定された操作キーが操作されると、当該操作実行情報に対応する機能を実行することを特徴とする請求項２に記載の通信端末装置。
【請求項４】
前記記憶部は、前記通信端末装置に着脱可能であることを特徴とする請求項１から３のいずれか１項に記載の通信端末装置。
【請求項５】
前記制御部は、取得した前記操作手順情報が前記表示部に表示された状態で、前記操作実行情報に基づいて前記所定の機能を実行するか否かをさらに選択可能に制御することを特徴とする請求項１から４のいずれか１項に記載の通信端末装置
【請求項６】
前記制御部は、取得した前記操作手順情報が前記表示部に表示された状態で、前記操作手順情報を前記記憶部に記憶させるか否かをさらに選択可能に制御することを特徴とする請求項１から５のいずれか１項に記載の通信端末装置。
【請求項７】
通信を行うコンピュータを機能させるための制御プログラムであって、
前記コンピュータが、所定の機能を実行するための複数の操作キーの押下順を示す操作手順情報、及び前記所定の機能を実行するためのデータである操作実行情報を外部の通信装置から取得するよう制御するステップと、
前記コンピュータが、取得した前記操作手順情報を表示させるよう制御するステップと、
前記操作手順情報を表示した状態で、前記コンピュータが、前記操作実行情報を記憶するか否かを選択可能に制御するステップと、
前記操作実行情報を記憶すると選択された場合に、前記コンピュータが、当該操作実行情報を記憶するステップと、
を前記コンピュータに実行させるための制御プログラム。
【発明の詳細な説明】
【０００１】
【発明が属する技術分野】
本発明は、通信端末装置に関し、通信端末装置の操作情報を通信装置を経由して取得可能な通信端末装置に関する。
【０００２】
【従来の技術】
携帯電話機等の通信端末装置は、無線基地局との間に電波による通信回線を設定し、無線により音声、データ等を送受して通信を行うものであり、無線部（送信部、受信部等）の他、無線機全体を統括して制御する制御部を有している。使用者はこの制御部に対して操作部（キーボード）に入力をして、通信端末装置の動作の指示をする。例えば、着信制限機能を設定して、特定の者（電話機）からの呼の着信を制限することができる。
【０００３】
また、近年の携帯電話機は多数の機能を有し、操作が複雑化しており、使用者が操作したい機能に関する操作説明の情報を、無線基地局を介して網側に設けられたサーバから取得して、携帯電話機の表示部に操作説明を表示する、いわゆるオンラインマニュアルが提案されている（例えば、有線通信に関して特開平１１−２８４７８１号公報）。
【０００４】
【発明が解決しようとする課題】
しかし、このようなオンラインマニュアルにより操作説明を取得しても、使用者はこの取得した操作情報を参照しながら携帯電話機の操作をしなければならず、操作説明を取得するための入力と、取得した操作情報に基づく操作との二回の操作が必要となり、二重の手間がかかる問題があった。
【０００５】
本発明は、網側から取得した操作情報を直ちに実行できたり、通信端末装置の機能として設定できる通信端末装置を提供することを目的とする。
【０００６】
【課題を解決するための手段】
第１の発明は、通信装置（例えば、無線基地局２２）との間で通信を行う通信端末装置（例えば、携帯電話機２１）において、表示部（例えば、表示部９）と、記憶部（１１）と、複数の操作キーと、所定の機能を実行するための前記複数の操作キーの押下順を示す操作手順情報、及び前記所定の機能を実行するためのプログラムである操作実行情報を前記通信装置から取得する制御部（６）と、を備え、前記制御部は、取得した前記操作手順情報が前記表示部に表示された状態で、前記操作実行情報を前記記憶部に記憶させるか否かを選択可能に制御し、前記操作実行情報を記憶させると選択された場合には、当該操作実行情報を前記記憶部に記憶させる。
【０００７】
第２の発明は、第１の発明において、前記制御部は、前記操作実行情報が前記記憶部に記憶されている場合に、当該操作実行情報を前記複数の操作キーのうちのいずれかの操作キーに割り当てて設定する機能設定手段を備えた。
【０００８】
第３の発明は、第２の発明において、前記制御部は、前記機能設定手段により前記操作実行情報が割り当てて設定された操作キーが操作されると、当該操作実行情報に対応する機能を実行する。
【０００９】
第４の発明は、第１〜第３の発明において、前記記憶部は、前記通信端末装置に着脱可能である。
【００１０】
第５の発明は、第１〜第４の発明において、前記制御部は、取得した前記操作手順情報が前記表示部に表示された状態で、前記操作実行情報に基づいて前記所定の機能を実行するか否かをさらに選択可能に制御する。
【００１１】
第６の発明は、第１〜第５の発明において、前記制御部は、取得した前記操作手順情報が前記表示部に表示された状態で、前記操作手順情報を前記記憶部に記憶させるか否かをさらに選択可能に制御する。
【００１２】
第７の発明は、通信を行うコンピュータを機能させるための制御プログラムであって、前記コンピュータが、所定の機能を実行するための複数の操作キーの押下順を示す操作手順情報、及び前記所定の機能を実行するためのデータである操作実行情報を外部の通信装置から取得するよう制御するステップと、前記コンピュータが、取得した前記操作手順情報を表示させるよう制御するステップと、前記操作手順情報を表示した状態で、前記コンピュータが、前記操作実行情報を記憶するか否かを選択可能に制御するステップと、前記操作実行情報を記憶すると選択された場合に、前記コンピュータが、当該操作実行情報を記憶するステップと、を前記コンピュータに実行させる。
【００１７】
【発明の作用および効果】
第１の発明では、通信端末装置が、所定の機能を実行するための複数の操作キーの押下順を示す操作手順情報、及び所定の機能を実行するためのプログラムである操作実行情報を通信装置から取得する制御部と、を備え、制御部が、取得した操作手順情報が表示部に表示された状態で、操作実行情報を記憶部に記憶させるか否かを選択可能に制御し、操作実行情報を記憶させると選択された場合には、当該操作実行情報を記憶部に記憶させるので、操作手順情報を取得した後、操作手順情報に対応する操作実行情報の当該操作を使用者に容易に実行させることができる。
【００１８】
第２の発明では、制御部が、操作実行情報が記憶部に記憶されている場合に、当該操作実行情報を複数の操作キーのうちのいずれかの操作キーに割り当てて設定する機能設定手段を備えたので、通信端末装置の機能（ファンクションキー）に操作実行情報を割り当てて、取得した操作手順情報に基づく操作をいつでも簡単に実行することができる。
【００１９】
第３の発明では、制御部が、機能設定手段により操作実行情報が割り当てて設定された操作キーが操作されると、当該操作実行情報に対応する機能を実行するので、使用者が当該操作をしたいときに、取得した操作実行情報に基づいて、当該操作を実行することができる。
【００２０】
第４の発明では、記憶部が、通信端末装置に着脱可能であるので、使用者が別の通信端末装置を使用するときに、当該着脱可能な記憶部を他の通信端末装置に装着することにより、別の通信端末装置において同じ機能（ファンクションキー）を使用することができる。
【００２１】
第５の発明では、制御部が、取得した操作手順情報が表示部に表示された状態で、操作実行情報に基づいて所定の機能を実行するか否かをさらに選択可能に制御するので、使用者が、操作手順を表示するか、又は、操作手順情報に基づいた操作実行情報をすぐに実行するかを選択することが可能となり、使用者が必要な形態で操作手順情報を入手することができる。
【００２２】
第６の発明では、制御部が、取得した操作手順情報が表示部に表示された状態で、操作手順情報を記憶部に記憶させるか否かをさらに選択可能に制御するので、使用者が、操作手順情報に基づいた操作実行情報を通信端末装置に記憶しておくことが可能となり、操作手順情報を、後に実行可能な形態で入手することができる。
【００２３】
第７の発明の制御プログラムでは、コンピュータが、所定の機能を実行するための複数の操作キーの押下順を示す操作手順情報、及び所定の機能を実行するためのデータである操作実行情報を外部の通信装置から取得するよう制御するステップと、コンピュータが、取得した操作手順情報を表示させるよう制御するステップと、操作手順情報を表示した状態で、コンピュータが、操作実行情報を記憶するか否かを選択可能に制御するステップと、操作実行情報を記憶すると選択された場合に、コンピュータが、当該操作実行情報を記憶するステップと、を備えるので、このプログラムを実行するコンピュータ装置によって操作手順情報を検索でき、当該コンピュータ装置から送出される操作実行情報によって、通信端末装置において当該操作を容易に実行し、かつ、当該操作を通信端末装置のファンクションキーに設定することができる。
【００２７】
【発明の実施の形態】
次に、本発明の実施の形態について図面を参照して説明する。
【００２８】
図１は、本実施の形態の携帯電話機の主要な構成を示すブロック図である。
【００２９】
アンテナ１は無線部２に接続されており、無線基地局からの電波を受信し、無線基地局に対し電波を送信する。無線部２は送信部３及び受信部４により構成され、送信部３はアンテナ１から送信する高周波信号を生成する。受信部４はアンテナ１で受信した高周波信号を増幅、周波数変換等をして、ベースバンド信号として音声処理部５に出力する。このベースバンド信号は音声処理部５内の変復調部（コーデック部）にて音声信号に復調される。また、変復調部では音声信号を変調し、ベースバンド信号を生成する。
【００３０】
制御部６は、無線部２、表示部９、操作部１０等の携帯電話機の各部を制御する。無線部２に対しては、送受信周波数、送信電波の出力を制御する。また、制御部６は、表示部（液晶表示器）９に対して、文字情報、携帯電話機の動作状態を表示する表示データを送る。また、制御部６は、操作部（キーボード）１０からの、文字、数字の入力、携帯電話機への動作の指示を受け付ける。
【００３１】
記憶部１１は、携帯電話機の識別番号、制御部６にて実行されるプログラム、使用者により設定されるメモリダイヤル、ファンクションキー等の情報が保存されている。この記憶部１１は、携帯電話機の電源が遮断されても記憶内容を保持する必要があるので、不揮発性メモリ（例えば、フラッシュメモリ）で構成するとよい。また、携帯電話機の主記憶部とは別の記憶領域に、ファンクションキーに対応して設定される機能を記憶するように構成してもよく、この別の記憶領域は後述する外部記憶部１２に設けてもよい。
【００３２】
外部記憶部１２は、携帯電話機に着脱可能に構成され、携帯電話機に設けられた接続端子に装着され、携帯電話機の記憶部の一部を構成する。この外部記憶部１２には、使用者を認識する識別番号（電話番号）や、使用者が設定したメモリダイヤル、ファンクションキー等の情報が保存され、使用者が別の携帯電話機を使用する場合に、外部記憶部１２を装着した携帯電話機を自己の携帯電話機として使用することができる。すなわち、別の携帯電話機で設定したファンクションキーの機能を外部記憶部１２に保持するので、ファンクションキーに同一の機能を設定して、他の携帯電話機を自己の電話機として使用できるようになっている。
【００３３】
表示部９は液晶表示パネル及びＬＣＤドライバで構成されており、制御部６からの表示指令信号により、携帯電話機の動作状態や、操作部１０に入力された情報、無線回線で取得した文字、図形の情報等を表示する。
【００３４】
操作部１０はキースイッチで構成されており、ダイヤルキーと複数のファンクションキーとを有している。このファンクションキーには使用者が任意に機能を設定できるファンクションキーが含まれており、所定の登録動作を行うことにより自己の希望する機能をファンクションキーに割り当てることができる。
【００３５】
さらに、携帯電話機には、音響信号を電気信号に変換する送話部７、電気信号を音響信号に変換する受話部８を有している。
【００３６】
図２は、本発明の実施の形態の携帯電話機が接続されるネットワークの構成図である。
【００３７】
携帯電話機２１と無線基地局２２とは無線回線により接続されている。無線基地局２２は公衆電話回線網（ＰＳＴＮ）２３に接続されるとともに、ｗｅｂサーバ２４に接続されている。すなわち、無線基地局２２は、無線基地局２２と携帯電話機２１とで送受信される音声信号を、公衆電話回線網２３との間で送受信し、データ信号をｗｅｂサーバ２４との間で送受信するように制御する。ｗｅｂサーバ２４はインターネット２５に接続されており、情報提供サーバ２６との間で情報のやりとりができるようになっている。ｗｅｂサーバ２４はＣＰＵ、記憶部（ＲＡＭ、ＲＯＭ、ＨＤＤ）、インターフェース部等を備えており、ｗｅｂサーバ２４の記憶部に記憶された情報を携帯電話機２１に提供する他、インターネット２５を経由して情報提供サーバ２６から取得した情報を無線回線で携帯電話機２１に送出するのに適する形式に変更して、無線基地局２２に送出する。
【００３８】
携帯電話機２１が、所定の情報を取得したい旨の信号を無線基地局２２に送信すると、この信号を受信した無線基地局２２は、ｗｅｂサーバ２４に携帯電話機２１からの信号を伝え、自装置に記憶されている情報でなければ、インターネット２５を経由して、他のサーバ（情報提供サーバ２６）に携帯電話機２１からの情報を送出する。情報の要求を受けた情報提供サーバ２６は、要求された情報をインターネット２５を経由してｗｅｂサーバ２４に送出する。ｗｅｂサーバ２４は、インターネット２５を経由して取得した情報を無線回線により携帯電話機２１に送出するのに適する形式の信号に変換して、無線基地局２２から携帯電話機２１に送信し、携帯電話機２１の表示部９には情報提供サーバ２６から取得した情報が表示される。
【００３９】
本発明の実施の形態では、携帯電話機２１は所定のサイト（情報提供サーバ２６）に対して、携帯電話機２１の操作に関する情報を要求し、このサイトから携帯電話機２１の操作に関する情報を取得する。具体的には、このサイトに接続して、操作に関するキーワードを入力する。また、操作に関するツリー状のメニューを準備しておき、このメニューから希望する機能を選択するようにしてもよい。
【００４０】
本実施の形態では、携帯電話機２１に操作情報を提供する情報提供サーバ２６をｗｅｂサーバ２４と別に設けたが、ｗｅｂサーバ２４上に設けることもできる。また、操作情報を提供するサイトは通信会社（携帯電話通信事業者）が設置してもよいし、携帯電話メーカが設置してもよい。
【００４１】
具体的には、以下に説明する手順の操作により、図３に示すように携帯電話機の表示部９の表示が遷移する。
【００４２】
まず、携帯電話機を特定のサイト（本実施の形態ではＥＺインターネットサイト上のＫサイト）に接続して、メインメニューから「ＥＺマニュアル」を選択して、ＴＯＰメニューを表示させる（画面Ａ）。このＴＯＰメニューの「今月のおすすめ」では、情報提供者が便利な使い方として推奨する機能を選択できるようなっている。具体的には、図４に示すように使用者の傾向に合わせてファンクションキーに設定する機能の組が提供されている。
【００４３】
また、ＴＯＰメニューの「キーワードから検索」では、携帯電話機の使用者が情報を取得したいキーワード（例えば「着信」）を入力すると、そのキーワードに関連した機能の一覧が表示され、その中から希望する操作情報を選択できるようになっている。また、ＴＯＰメニューの「アクセス数から検索」では、携帯電話機の使用者からのアクセスが多かった（すなわち、多くの使用者に使われている）機能の一覧が表示され、その中から希望する操作情報を選択できるようになっている。さらに、ＴＯＰメニューの「取扱説明書のページ数から検索」では、取扱説明書の所定の頁に記載された操作情報を表示できるように構成されている。また、このＥＺマニュアルのいずれかのメニューにおいて、携帯電話機の新機能を提供するように構成してもよい。
【００４４】
画面Ｂは、画面Ａにおいて「アクセス数から検索」が選択、決定された場合の画面を示す。携帯電話機の使用者は、画面Ｂに表示される機能の一覧からスクロールキーの操作により希望する機能を選択して、決定ボタンを押す。この操作により、選択した機能が無線基地局２２、ｗｅｂサーバ２４を経由して情報提供サーバ２６に送られ、情報提供サーバ２６は携帯無線機から要求された機能の操作情報を携帯電話機に対して送出する。
【００４５】
この情報を受信した携帯電話機は、要求した操作情報を、使用者が認識可能な操作手順として表示部９に表示する（画面Ｃ）。
【００４６】
このサイトから携帯電話機が取得する操作に関する情報には二つの種類が用意されている。一つは、携帯電話機の使用者が携帯電話機の画面（表示部）９で見ることができる操作手順を示す操作説明（操作手順情報）である。取扱説明書に相当するものである。二つ目は、その機能を携帯電話機において直ちに実行できる、実行形式のプログラム（操作実行情報）である。
【００４７】
また、この操作実行情報である実行形式のプログラムは、携帯電話機が取得した後、携帯電話機内で２種類の用い方がされる。一つは、このプログラムを携帯電話機において直ちに実行し、検索、取得した機能を実行することである。二つ目は、このプログラムを携帯電話機の特定の操作に割り当て（特定のファンクションキーに設定して）、特定の機能として設定することである。
【００４８】
本実施の形態では、携帯電話機は実行形式のプログラムである操作実行情報を取得するが、操作手順が記載された操作手順情報に基づいて、携帯電話機が実行形式のファイルを生成するように構成してもよい。
【００４９】
図４は、本発明の実施の形態の携帯電話機の設定される機能が組で提供される場合の携帯電話機の画面遷移を示す図である。
【００５０】
画面Ｄは、図３の画面Ａと同じであり、メインメニューから「ＥＺマニュアル」のＴＯＰメニューを表示させた状態を示す。画面Ｅは、画面Ｄにおいて「今月のおすすめ」が選択、決定された場合の画面を示す。この「今月のおすすめ」では、情報提供者が便利な使い方として推奨する機能を組にして提供しており、この画面ではタイプＡとして、Ｆ１に非通知着信制限を、Ｆ２に着信音変更を、Ｆ３に着信履歴消去を設定する組と、タイプＢとして、Ｆ１に待受画面変更を、Ｆ２に通話時間表示を、Ｆ３に着信音変更を設定する組とが提供されている。
【００５１】
その後、使用者は自己の希望する機能の組を選択して決定すると（本図ではタイプＡが選択された状態を示す）、タイプＡで設定される機能の詳細が表示され、設定キーを押すことにより、このＦ１〜Ｆ３の３つの操作実行情報の組を携帯電話機が取得して所定（Ｆ１〜Ｆ３）のファンクションキーに割り当てて、設定をする。
【００５２】
図５は、本発明の実施の形態の携帯電話機の動作を示すフローチャートである。
【００５３】
携帯電話機を文字通信モード（例えば、ｅｚｗｅｂ、ｉ−ｍｏｄｅ等）に設定し、ｗｅｂサーバ２４に接続して、操作情報を提供しているサイト（情報提供サーバ２６）に接続する（Ｓ１２１）。そして、検索画面において検索したい機能を入力し、情報提供サーバ２６（操作情報を提供しているサイト）に送信する（Ｓ１２２）。情報提供サーバ２６は携帯電話機から要求された機能に関する操作手順を携帯電話機に送信して（Ｓ１２３）、携帯電話機はこの操作手順を表示部９に表示する（Ｓ１２４）。そして、この機能を、今すぐ実行するのか、機能を設定するために取得するのか、操作手順の文字、図形の情報（テキスト情報）を取得するのかの選択を促す（Ｓ１２５）。携帯電話機ではスクロールキーの操作により「今すぐ実行」、「ダウンロード」、「テキストのみダウンロード」の何れかが選択でき（Ｓ１２６）、選択後に決定キーを押すことにより上記の何れかの方法により、検索された操作情報が携帯電話機に取得される。
【００５４】
携帯電話機において「今すぐ実行」が選択、決定されたなら、携帯電話機は情報提供サーバ２６にその旨を送信し、情報提供サーバ２６は、携帯電話機で実行可能な形式のプログラムである操作実行情報を携帯電話機に対して送信する（Ｓ１２７）。この実行可能形式の操作実行情報を取得した携帯電話機は、制御部６においてそのプログラムを実行し、携帯電話機においてその機能を実行する（Ｓ１２８）。
【００５５】
一方、携帯電話機において「ダウンロード」が選択、決定されたなら、携帯電話機は情報提供サーバ２６にその旨を送信し、情報提供サーバ２６は、携帯電話機で実行可能な形式のプログラムである操作実行情報を、携帯電話機に対して送信する（Ｓ１２９）。この実行可能形式の操作実行情報を取得した携帯電話機は、この操作実行情報を記憶部１１に記憶する（Ｓ１３０）。さらに、使用者に対して、この機能をどのキー操作に割り当てて、機能として設定するかの入力を促し、操作実行情報を特定のキーの機能として設定する（Ｓ１３１）。例えば、三つのファンクションキー（Ｆ１、Ｆ２、Ｆ３）を有する場合、着信制限機能を検索したときに、取得した操作情報をＦ１に割り当てる操作をすると、Ｆ１キーを操作すると着信制限機能が実行されるように操作実行情報がＦ１キーの操作と関連付けて記憶部１１に記憶される。
【００５６】
携帯電話機において「テキストのみダウンロード」が選択、決定されたなら、携帯電話機は情報提供サーバ２６にその旨を送信し、情報提供サーバ２６は、詳細な操作手順である操作手順情報を、携帯電話機に対して送信する（Ｓ１３２）。この操作手順情報は使用者が認識可能な文字、図形等で構成されており、操作手順情報を取得した携帯電話機は、表示部９に操作手順を表示する（Ｓ１３３）。この情報提供サーバ２６から取得した操作手順情報を携帯電話機の記憶部１１に記憶して、使用者がいつでも参照できるようにしてもよい。また、ステップＳ１２３で表示される操作手順とステップＳ１３２で転送される操作手順とを同じ内容の情報にして、ステップＳ１２６にて「テキストのみダウンロード」が選択、決定された後に、さらに操作手順情報の取得をせず、操作手順情報の記憶のみ操作するように構成してもよい。
【００５７】
本実施の形態では、携帯電話機で検索をして、網側に設けられたサーバ装置から操作情報（操作手順情報、操作実行情報）を取得するものであるが、通信インターフェースを介してパーソナルコンピュータと携帯電話機とを接続して、パーソナルコンピュータにおいて、操作情報（操作手順情報、操作実行情報）を検索、閲覧できるプログラムを実行し、検索された操作に関する操作情報を携帯電話機に出力するように構成することもできる。
【００５８】
このように、本発明の実施の形態では、無線基地局２２から携帯電話機の操作に関する操作情報として、携帯電話機の操作手順に関する使用者が認識可能な操作手順情報と、操作手順情報に対応した携帯電話機において実行可能な操作実行情報とを取得するとともに、取得した操作情報に基づいて、携帯電話機において当該操作を実行する操作実行手段を備えたので、使用者が当該操作をしたいときに操作方法が分からなくても、取扱説明書を参照することなく、網側に設けられた情報提供サーバ２６から操作手順を参照することができる。さらに、情報提供サーバ２６から取得した操作手順を参照することなく、携帯電話機において希望する機能を実行することができ、使用者自身が取得した操作手順に基づいて操作をする必要がなく便利である。
【００５９】
また、携帯電話機において「今すぐ実行」が選択、決定されたなら、携帯電話機が操作実行情報を取得して、操作実行情報に記述された操作が自動的に実行するので、情報提供サーバ２６から取得した操作手順を参照して操作をする必要がなく、使用者が当該操作をしたいときに当該操作を実行することができる。
【００６０】
また、携帯電話機において「ダウンロード」が選択、決定されたなら、携帯電話機が操作実行情報を取得して、その操作実行情報を携帯電話機の機能として設定して、記憶部１１に記憶するので、携帯電話機の機能（ファンクションキー）に操作実行情報を割り当てて、操作実行情報に基づく操作をいつでも簡単に実行することができるとともに、網側から取得した内容を見ながら、携帯電話機のファンクションキーの機能を簡単な操作で設定することができる。
【００６１】
また、携帯電話機のファンクション機能を簡単に設定することができるので、ファンクションキーを増やすことなく、使用者の趣向に合わせた機能を提供することができ、いたずらに操作が複雑になることがない。
【００６２】
さらに、操作実行情報は、携帯電話機に着脱可能な記憶手段（例えば、ＳＩＭ）に記憶されるので、使用者が別の携帯電話機を使用するときでも、同じファンクションキーには同じ機能を使用することができる。
【００６３】
また、携帯電話機が、無線基地局２２から携帯電話機の操作に関する操作情報を取得する際に、携帯電話機において、操作情報に対応する操作を実行するか（今すぐ実行）、操作情報に対応する操作を携帯電話機の機能として設定するか（ダウンロード）、操作情報を表示するか（テキストのみダウンロード）のうち、いずれかを選択可能としたので、使用者が必要な形態で操作情報に関する情報を入手することができる。
【図面の簡単な説明】
【図１】  本発明の実施の形態の携帯電話機の構成を示すブロック図である。
【図２】  本発明の実施の形態の携帯電話機が接続されるネットワークの構成図である。
【図３】  本発明の実施の形態の携帯電話機の画面遷移図である。
【図４】  本発明の実施の形態の携帯電話機の設定される機能の組を説明する図である。
【図５】  本発明の実施の形態の携帯電話機の動作を示すフローチャートである。
【符号の説明】
１  アンテナ
２  無線部
３  送信部
４  受信部
５  音声処理部
６  制御部
７  送話部
８  受話部
９  表示部（液晶表示器）
１０  操作部（キーボード）
１１  記憶部（ＲＡＭ、ＲＯＭ）
１２  外部記憶部（ＳＩＭ）
２１  携帯電話機
２２  無線基地局
２３  公衆電話回線網（ＰＳＴＮ）
２４  ｗｅｂサーバ
２５  インターネット
２６  情報提供サーバ
【図１】
0004693251.tif 000002
【図２】
0004693251.tif 000003
【図３】
0004693251.tif 000004
【図４】
0004693251.tif 000005
【図５】
0004693251.tif 000006